(57)【要約】【課題】本発明は再生信号の振幅変動を抑制する最適記録パラメータを決定し、高品質の再生信号を得ることができる光ディスク装置及び記録パラメータ最適化方法を提供する。【解決手段】メインビームと先行サブビームと後行サブビームを照射し光ディスクに記録マークを形成し、光ディスクからの反射光を受光する光学部と、前記メインビームで記録したテスト情報を後行サブビームで再生する手段と、後行サブビームの再生信号からテスト情報の所定の部分を抽出する手段とを具備する光ディスク装置。【選択図】      図１
2009158063.tif 000002
【特許請求の範囲】
【請求項１】
メインビームと先行サブビームと後行サブビームを照射し、光ディスクに記録マークを形成し、光ディスクからの反射光を受光する光学部と、
前記メインビームで記録したテスト情報を後行サブビームで再生する手段と、
後行サブビームの再生信号からテスト情報の所定の部分を抽出する手段と、
を具備する光ディスク装置。
【請求項２】
前記再生手段はテスト情報の記録前の既記録情報を先行サブビームで再生し、先行サブビームの再生信号の二値化パルスを生成し、
前記抽出手段はテスト情報の値に応じたサンプルパルスを生成する手段と、該サンプルパルスと前記二値化パルスとに基づいて前記所定の部分を抽出することを特徴とする請求項１に記載の光ディスク装置。
【請求項３】
前記所定の部分はテスト記録前がマークでテスト記録後がスペースの部分と、テスト記録前がスペースでテスト記録後がスペースの部分とであることを特徴とする請求項１または請求項２に記載の光ディスク装置。
【請求項４】
前記抽出手段は前記サンプルパルスをメインビームと後行サブビームとの位置関係に応じて遅延する手段と、前記二値化パルスを先行サブビームと後行サブビームとの位置関係に応じて遅延する手段と、該２つの遅延パルスの共通部分に基づいて前記所定の部分を抽出することを特徴とする請求項２に記載の光ディスク装置。
【請求項５】
前記抽出手段で抽出した部分の後行サブビームの再生信号に基づいて記録波形のイレースパワーを調整する手段をさらに具備することを特徴とする請求項１乃至請求項４のいずれか一項に記載の光ディスク装置。
【請求項６】
前記抽出手段で抽出したテスト記録前がマークでテスト記録後がスペースの部分の後行サブビームの再生信号と、テスト記録前がスペースでテスト記録後がスペースの部分の後行サブビームの再生信号と、それらの差が所定値以下となるように記録波形のイレースパワーを調整する手段をさらに具備することを特徴とする請求項３に記載の光ディスク装置。
【請求項７】
メインビームを用いてテスト情報を記録し、再生信号に基づいて記録パラメータを最適化する方法において、
メインビームで記録したテスト情報を後行サブビームで再生し、
後行サブビームの再生信号からテスト情報の所定の部分を抽出し、
抽出した部分の後行サブビームの再生信号に基づいて記録パラメータを調整する記録パラメータ最適化方法。
【請求項８】
前記再生ステップはテスト情報の記録前の既記録情報を先行サブビームで再生し、先行サブビームの再生信号の二値化パルスを生成し、
前記抽出ステップはテスト情報の値に応じたサンプルパルスを生成し、該サンプルパルスと前記二値化パルスとに基づいて前記所定の部分を抽出することを特徴とする請求項７に記載の記録パラメータ最適化方法。
【請求項９】
前記所定の部分はテスト記録前がマークでテスト記録後がスペースの部分と、テスト記録前がスペースでテスト記録後がスペースの部分とであることを特徴とする請求項７または請求項８に記載の記録パラメータ最適化方法。
【請求項１０】
前記抽出ステップは前記サンプルパルスをメインビームと後行サブビームとの位置関係に応じて遅延し、前記二値化パルスを先行サブビームと後行サブビームとの位置関係に応じて遅延し、該２つの遅延パルスの共通部分に基づいて前記所定の部分を抽出することを特徴とする請求項９に記載の記録パラメータ最適化方法。
【請求項１１】
前記調整ステップは、テスト記録前がマークでテスト記録後がスペースの部分を抽出した後行サブビームの再生信号と、テスト記録前がスペースでテスト記録後がスペースの部分を抽出した後行サブビームの再生信号と、それらの差が所定値以下となるように記録波形のイレースパワーを調整することを特徴とする請求項９に記載の記録パラメータ最適化方法。
【発明の詳細な説明】
【技術分野】
【０００１】
本発明は光ディスク装置に関し、特に書き換え型の光ディスクに記録動作を行いつつ最適記録パワーの制御をすることが可能な光ディスク装置及び記録パラメータ最適化方法に関する。
【背景技術】
【０００２】
書き換え型の光ディスクとして、例えばＤＶＤ−ＲＷ、ＤＶＤ−ＲＡＭ、ＨＤ  ＤＶＤ−ＲＷ、ＨＤ  ＤＶＤ−ＲＡＭ等がある。これらの書き換え型の光ディスクでは、再生信号の品質は記録パラメータ、例えば記録用レーザパワー電力や記録用信号の波形等に依存することが知られている。このため、光ディスクを光ディスク装置に挿入した直後等の一定期間にテスト期間を設け、このテスト期間中にテスト記録を行い最適な記録パラメータを求める処理が一般的に行われている。
【０００３】
従来の光ディスク装置は光ディスク上における記録情報の記録方向において記録情報を記録する記録用光ビームの後方に記録用光ビームと同時に照射された調整用光ビームの光ディスクからの反射光を受光する受光手段を含み、受光手段からの出力信号に基づいて記録方向において先行する記録用光ビームの記録パワーを制御する記録パワー制御手段を備えている（例えば、特許文献１参照）。
【０００４】
この装置では調整用光ビームの光量を常に計測しているため、記録マーク（以下、単にマークと称する）のみ、またはスペースのみといった計測ができない。したがって、相変化記録を利用する書き換え型の光ディスクへの対応が難しい。
【０００５】
相変化記録を利用する書き換え型の光ディスクでは、既に記録されているマークとスペースの系列の上に新たなマークとスペースの系列を上書きすることができる。この上書きは既に記録されているマークとスペースの系列をイレースすることなく直に行うのでダイレクトオーバーライトと称する。
【０００６】
新たなマークを上書きする場合、例えば、ピークパワーとボトムパワーと呼ばれる２つのパワー値を有する複数のサブパルスから成るレーザパルス列を既に形成されているマーク或いはスペースの上から照射し、所定長のマークを新たに形成する。
【０００７】
一方、新たなスペースを上書きする場合、イレースパワーと呼ばれるパワー値を有する一定レベルのレーザを既に形成されているマーク或いはスペースの上から照射し、所定長のスペースを新たに形成する。
【０００８】
オーバーライトしたマークやスペースを再生する場合、これらから得られる再生信号の振幅値は夫々に対応した一定の値となることが好ましい。再生信号の振幅値の変動幅が大きい場合、記録したデータとは異なり、誤判定される可能性があるからである。
【０００９】
しかしながら、特にスペースを上書き（初回形成時も含む）する場合には、スペースの再生信号の振幅値が必ずしも一定の値とならず変動し、しかもその変動量はスペースを形成するためのイレースパワーに依存することが本発明者らの知見として得られた。スペースを上書きするときのイレースパワーが小さ過ぎると、形成されたスペースからの再生信号の振幅の変動幅は大きくなり、逆にイレースパワーが大き過ぎても、形成されたスペースからの再生信号の振幅の変動幅は大きくなる。つまり、スペースからの再生信号の振幅の変動幅をある許容範囲に収める為にはイレースパワーを最適範囲に設定する必要がある。イレースパワーの最適範囲は個々の光ディスクの特性（個体差）に依存するだけでなく、ピークパワーにも依存することも判明した。イレースパワーの最適範囲を決定する場合には、これらの要因も考慮する必要がある。
【特許文献１】特開平１１−２７３１１８号公報
【発明の開示】
【発明が解決しようとする課題】
【００１０】
このように相変化記録を利用する書き換え型の光ディスクでダイレクトオーバーライトする際は、スペースからの再生信号とマークからの再生信号とを区別して判断する必要があるが、従来例では調整用光ビームの光量を常に計測しているため対処できなかった。
【００１１】
本発明は上記事情に鑑みてなされたものであり、相変化記録を利用する書き換え型の光ディスクの再生信号の振幅変動を抑制する最適記録パラメータを決定し、高品質の再生信号を得ることができる光ディスク装置及び記録パラメータ最適化方法を提供することを目的とする。
【課題を解決するための手段】
【００１２】
本発明の一態様による光ディスク装置は、メインビームと先行サブビームと後行サブビームを照射し、光ディスクに記録マークを形成し、光ディスクからの反射光を受光する光学部と、前記メインビームで記録したテスト情報を後行サブビームで再生する手段と、後行サブビームの再生信号からテスト情報の所定の部分を抽出する手段とを具備する。
【００１３】
本発明の一態様による記録パラメータ最適化方法は、メインビームを用いてテスト情報を記録し、再生信号に基づいて記録パラメータを最適化する方法において、メインビームで記録したテスト情報を後行サブビームで再生し、後行サブビームの再生信号からテスト情報の所定の部分を抽出し、抽出した部分の後行サブビームの再生信号に基づいて記録パラメータを調整する。
【発明の効果】
【００１４】
本発明によれば、メインビームで記録中に先行サブビームで記録前の状態を判定し、後行サブビームで記録後の状態を判定し、これらの判定結果から後行サブビームの再生信号の所定の部分を抽出することにより、適切な記録パラメータを設定することができる。
【発明を実施するための最良の形態】
【００１５】
以下、図面を参照して本発明による光ディスク装置の実施の形態を説明する。
【００１６】
第１の実施の形態
図１は本発明の第１の実施の形態に係る光ディスク装置の記録パワー調整に関する部分の構成を示す図である。光ディスク装置は、ＤＶＤ−ＲＷ、ＤＶＤ−ＲＡＭ、ＨＤ  ＤＶＤ−ＲＷ、ＨＤ  ＤＶＤ−ＲＡＭ等の書き換え型光ディスク１０に対して情報の記録及び再生を行うものである。光ディスク１０には、螺旋状に溝が刻まれており、溝の凹部をグルーブ、凸部をランドと呼び、グルーブ又はランドの一周をトラックと呼ぶ。このトラック（グルーブのみ又はグルーブ及びランド）に沿って強度変調されたレーザ光を照射してユーザデータの符号長に対応するマークとスペースを形成することで記録される。
【００１７】
光ディスク１０に対する情報の記録・再生は、ＰＵＨ（光学ピックアップヘッド）１２によって行われる。図示していないが、ＰＵＨ１２は、送りモータとギア及びスクリューシャフトを介して連結されており、この送りモータは送りモータ制御回路により制御される。送りモータが送りモータ制御回路からの送りモータ駆動電流により回転することにより、ＰＵＨ１２が光ディスク１０の半径方向に移動する。ＰＵＨ１２には、ワイヤ或いは板バネによって支持された対物レンズが設けられている。対物レンズは駆動コイルの駆動によりフォーカシング方向（レンズの光軸方向）への移動が可能である。また、駆動コイルの駆動によりトラッキング方向（レンズの光軸と直交する方向）への移動が可能である。
【００１８】
光ディスク１０へのデータ記録時、メモリ３４から記録データがバスライン３６を介して変調回路３８に送られて変調された後、ライトストラテジ生成回路４０に送られる。変調回路３８は８ビットのデータを１６ビットのコードに変換するＥＴＭ（Ｅｉｇｈｔ  ｔｏ  Ｔｗｅｌｖｅ  Ｍｏｄｕｌａｔｉｏｎ）方式で記録データを変調する。ライトストラテジ生成回路４０には、符号パターン毎のタイミング微調整情報が事前に設定されており、この情報に基づいて記録データのタイミング調整が行われる。その後、ＰＵＨ（ピックアップヘッド）１２内のＬＤＤ（レーザダイオードドライバ）１４にてレーザパワーを設定し、レーザダイオードにレーザ駆動電流が流され、レーザダイオードが発光する。発光したレーザ光は、ＰＵＨ１２内の図示していない回折格子により３つのビーム（先行サブビーム、メインビーム、後行サブビーム）に回折された後、コリメータレンズ、ハーフプリズム、対物レンズを介してディスク１０の表面に照射される。
【００１９】
照射した３ビームの戻り光は、ＰＵＨ１２内の図示していない対物レンズ、ハーフプリズム、集光レンズ、およびシリンドリカルレンズを介して、先行サブビーム光電変換素子１６、メインビーム光電変換素子１８、後行サブビーム光電変換素子２０にそれぞれ入射され、電気信号に変換された後、ＲＦアンプ２２にて増幅される。
【００２０】
先行サブビームからの信号は、先行サブビーム再生波形スライス回路４６にて２値化され、遅延回路４８にて一定時間遅延された後、サンプルパルスマスク回路５０に入力される。サンプルパルスマスク回路５０は先行サブビーム再生信号の２値化信号をサンプルパルス生成回路４２から出力されて遅延回路４４にて一定時間遅延させた信号でマスクし（図６〜図９で後述）、サンプルホールド信号を生成する。
【００２１】
選択回路２４にはメインビーム、後行サブビームからの信号が入力され、ＣＰＵ３２からの設定で選択された信号がサンプルホールド回路２６にてサンプルホールド信号のタイミングでホールドされる。ホールドされた信号はローパスフィルタ２８を通り、Ａ／Ｄ変換器３０にてデジタル信号に変換され、メモリ３４に保存される。メモリ３４に保存された値をもとにＣＰＵ３２は演算を行い、適切な記録パワーをＬＤＤ１４に設定する。
【００２２】
図２に、記録パワー（ピークパワー、イレースパワー、ボトムパワー）、およびマルチパルスの概要図を示す。
【００２３】
光ディスクへの記録は、記録膜に照射されたレーザ光のエネルギーにより温度が上昇し、記録膜が相変化（結晶状態／アモルファス状態）することで行われる。したがって、記録膜上の熱分布によっては記録マーク形状に歪みが生じることがある。そこで、ディスク上の熱分布をより高精度に制御するために、単純な矩形波のパルスではなく、図２に示したようにレーザのＯＮ／ＯＦＦを細かく行うマルチパルスの記録波形で記録（歪補償）を行う。
【００２４】
ＨＤ  ＤＶＤ−ＲＷのような相変化記録媒体では、レーザパルスの分割に加え、数種類のパワーレベルを設定して記録を行う。例として、ピークパワー、イレースパワー、ボトムパワーという３つのパワーレベルを設定した場合を図２に示した。
【００２５】
図３に、先行サブビーム、メインビーム、後行サブビームの再生信号の時間関係を示す。本実施形態では光ディスクのトラック上の記録方向においてメインビームの前方に先行サブビーム、後方に後行サブビームという２つのサブビームを配置する。これらのサブビームは十分な再生周波数帯域と光量が得られる位置に配置する必要がある。
【００２６】
図３ではトラッキングエラー信号のオフセット除去に用いられている配置を例として示した。この配置にて信号を再生した場合、図示したように先行サブビーム、メインビーム、後行サブビームから得られるそれぞれの再生信号は時間差を持つことになる。ここで、先行サブビームを基準にした時間をｐｒｅ、メインビームを基準にした時間をｍａｉｎ、  後行サブビームを基準にした時間をｐｏｓｔ、先行サブビームとメインビームとの時間差をｄｐｒｅ、メインビームと後行サブビームとの時間差をｄｐｏｓｔとすると、その時間関係は１つの基準に合わせて表現することができる。例えば、ｐｒｅ及びｍａｉｎをｐｏｓｔ基準の時間で表現する場合、ｐｒｅはｐｒｅ＋ｄｐｒｅ＋ｄｐｏｓｔ，ｍａｉｎはｍａｉｎ＋ｄｐｏｓｔと表現することができる。
【００２７】
図４に記録中に後行サブビームの再生信号に基づいて任意の位置をサンプルする場合の概要を示す。例として、記録中に１１Ｔスペースの中心付近をサンプルする場合を示す。図４の（ａ）は記録波形信号（基準時間はｍａｉｎ）、（ｂ）は１１Ｔスペースの中心付近のサンプルパルス（基準時間はｍａｉｎ）、（ｃ）は後行サブビームの再生信号（基準時間はｐｏｓｔ）、（ｄ）はｐｏｓｔ基準に遅延されたサンプルパルスを示す。
【００２８】
図４（ａ）は、記録パターンとして５Ｔマーク、１１Ｔスペース、６Ｔマーク、…とした場合の記録波形の模式図である。メインビームにより記録された信号は後行サブビームによってｄｐｏｓｔ後に再生され、図４（ｃ）のような再生信号が得られる。この後行サブビーム再生信号から１１Ｔスペースの中心付近をサンプルするため、図４（ｂ）に示すようなサンプルパルスが用いられる。これにより、メインビームを用いて記録した記録信号を後方サブビームを用いて再生することができ、しかも、任意の記録信号の部分をサンプルすることができるので、マークの再生信号に基づいて最適な記録パラメータを設定することができる。
【００２９】
サンプルパルスの生成は次のようにして行われる。先ず、ＣＰＵ３２からサンプルパルス生成回路４２へ１１Ｔスペースの中心付近にサンプルパルスを出すよう設定を行う。サンプルパルス生成回路４２はライトストラテジ生成回路４０から１１Ｔスペースを記録するタイミングが送られてくるのを待機する。そして、１１Ｔスペースが含まれる信号、例えば図４に示したような５Ｔマーク、１１Ｔスペース、６Ｔマーク、…を記録するという情報がライトストラテジ生成回路４０から送られると、この情報をもとに図４（ｂ）に示したようなサンプルパルスを生成する。
【００３０】
しかし、生成されたサンプルパルス信号はライトストラテジ生成回路４０からのタイミングで生成されているので、基準時間がｍａｉｎとなっており、後行サブビーム再生信号の基準時間ｐｏｓｔと異なっている。そこで、遅延回路４４によりｄｐｏｓｔ遅らせて後行サブビーム再生信号と同じ基準時間ｐｏｓｔにする必要がある。これにより、図４（ｄ）に示すように、後行サブビーム再生信号の基準時間（ｐｏｓｔ）と同じ基準時間を有するサンプルパルスを生成することができる。これにより、後方サブビームの再生信号の１１Ｔスペースの中心付近をサンプルすることができる。
【００３１】
一例として１１Ｔスペースの中心付近をサンプルする場合を示したが、サンプルパルスの位置を任意に設定した後、サンプルパルスをｄｐｏｓｔ時間遅延させ基準時間をｐｏｓｔとすることにより、任意の位置の後行サブビームの再生信号を計測することが可能となる。
【００３２】
図５に、ダイレクトオーバーライト（ＤＯＷ）によって生じる組み合わせについて説明する。ダイレクトオーバーライトとは、既に記録されているマーク、スペースの上に直接上書きを行うことである。組み合わせとしては、ＤＯＷ前にマークだった部分をＤＯＷによりマークにする場合、ＤＯＷ前にマークだった部分をＤＯＷによりスペースにする場合、ＤＯＷ前にスペースだった部分をＤＯＷによりマークにする場合、ＤＯＷ前にスペースだった部分をＤＯＷによりスペースにする場合という４つのパターンが存在する。
【００３３】
図６乃至図９に、ＤＯＷ前の記録状態（マーク、あるいはスペース）を考慮したうえで、記録中の任意の位置をサンプルする場合の概要を示す。
【００３４】
図６はＤＯＷ前にマークだった部分をＤＯＷによりスペースに書き換えた位置をサンプルする場合である。ＤＯＷ前の記録状態を１１Ｔマーク、８Ｔスペース、…とする。
【００３５】
図６の（ａ）は先行サブビームの再生信号（基準時間はｐｒｅ）、（ｂ）は先行サブビームの再生信号の二値化信号（基準時間はｐｒｅ）、（ｃ）は１１Ｔスペースの中心付近のサンプルパルス（基準時間はｍａｉｎ）、（ｄ）は後行サブビームの再生信号（基準時間はｐｏｓｔ）、（ｅ）はｐｏｓｔ基準に遅延されたサンプルパルス、（ｆ）はｐｏｓｔ基準に遅延された先行サブビームの再生信号の二値化信号、(ｇ）はＤＯＷ前はマーク、ＤＯＷ後はスペースのサンプルホールドパルス（基準時間はｐｏｓｔ）を示す。
【００３６】
まず、ＤＯＷ前の記録状態を（ａ）に示した先行サブビームの再生信号（基準時間はｐｒｅ）によって判定する。この再生信号は図１に示した先行サブビーム再生波形スライス回路４６によって２値化され、（ｂ）のような２値化信号（基準時間はｐｒｅ）となる。この信号により、ＤＯＷ前の記録状態（マーク、あるいはスペース）を判別できる。
【００３７】
続いて、ＤＯＷによりスペースに変化させた位置をサンプルする。例えば、５Ｔマーク、１１Ｔスペース、６Ｔマーク、…という信号をＤＯＷする場合、図４で説明したように、サンプルパルスを１１Ｔスペースの中心付近に設定し、このサンプルパルスを後行サブビームの基準時間ｄｐｏｓｔだけ遅延させることにより後行サブビームのサンプルポイントとすることができる。しかし、このままではＤＯＷ前の記録状態は考慮されていない。
【００３８】
そこで、ＤＯＷ前の記録状態である（ｂ）の先行サブビームの二値化信号を利用する。ただし、（ｂ）の基準時間はｐｒｅなので、ｄｐｒｅ＋ｄｐｏｓｔ遅延させて後方サブビームの基準時間ｐｏｓｔに合わせる。（ｂ）をｐｏｓｔ基準に遅延させた信号が（ｆ）である。このｐｏｓｔ基準に遅延させた先行サブビームの二値化信号（ｆ）のＨｉｇｈ部分と、ｐｏｓｔ基準に遅延させたサンプルパルスである（ｅ）のＨｉｇｈ部分との共通部分をとることで、ＤＯＷ前がマークでＤＯＷ後がスペースの位置を表すサンプルホールドパルス（ｇ）を生成することができる。サンプルホールドパルス（ｇ）がＨｉｇｈの間、後行サブビームの再生信号の光量を計測すればよい。
【００３９】
図７はＤＯＷ前にマークだった部分をＤＯＷによりマークにした位置をサンプルする場合である。ＤＯＷ前の記録状態を１１Ｔマーク、８Ｔスペース、…とする。
【００４０】
図７の（ａ）は先行サブビームの再生信号（基準時間はｐｒｅ）、（ｂ）は先行サブビームの再生信号の二値化信号（基準時間はｐｒｅ）、（ｃ）は１１Ｔマークの中心付近のサンプルパルス（基準時間はｍａｉｎ）、（ｄ）は後行サブビームの再生信号（基準時間はｐｏｓｔ）、（ｅ）はｐｏｓｔ基準に遅延されたサンプルパルス、（ｆ）はｐｏｓｔ基準に遅延された先行サブビームの再生信号の二値化信号、(ｇ）はＤＯＷ前はマーク、ＤＯＷ後はマーク部分のサンプルホールドパルス（基準時間はｐｏｓｔ）を示す。
【００４１】
図６の場合と違う点だけ述べると、図７ではＤＯＷによりマークに変化させた位置をサンプルしたいので、例えば、５Ｔスペース、１１Ｔマーク、６Ｔスペース、…という信号をＤＯＷして、サンプルパルスの位置を（ｃ）のように、１１Ｔマークの中心付近に設定している。ｐｏｓｔ基準に遅延させた先行サブビームの二値化信号（ｆ）のＨｉｇｈ部分と、ｐｏｓｔ基準に遅延させたサンプルパルスである（ｅ）のＨｉｇｈ部分との共通部分をとることで、ＤＯＷ前がマークでＤＯＷ後がマークの位置を表すサンプルホールドパルス（ｇ）を生成することができることは図６の場合と同じである。
【００４２】
図８はＤＯＷ前にスペースだった部分をＤＯＷによりマークにした位置をサンプルする場合である。ＤＯＷ前の記録状態を１１Ｔマーク、８Ｔスペース、…とする。
【００４３】
図８の（ａ）は先行サブビームの再生信号（基準時間はｐｒｅ）、（ｂ）は先行サブビームの再生信号の二値化信号（基準時間はｐｒｅ）、（ｃ）は１１Ｔマークの中心付近のサンプルパルス（基準時間はｍａｉｎ）、（ｄ）は後行サブビームの再生信号（基準時間はｐｏｓｔ）、（ｅ）はｐｏｓｔ基準に遅延されたサンプルパルス、（ｆ）はｐｏｓｔ基準に遅延された先行サブビームの再生信号の二値化信号、(ｇ）はＤＯＷ前はスペース、ＤＯＷ後はマーク部分のサンプルホールドパルス（基準時間はｐｏｓｔ）を示す。
【００４４】
図６の場合と違う点は、マークとスペースの極性が正反対であるということである。図８ではＤＯＷによりマークに変化させた位置をサンプルしたいので、例えば、５Ｔスペース、１１Ｔマーク、６Ｔスペース、…という信号をＤＯＷして、サンプルパルスの位置を（ｃ）のように、１１Ｔマークの中心付近に設定している。ｐｏｓｔ基準に遅延させた先行サブビームの二値化信号（ｆ）のＨｉｇｈ部分と、ｐｏｓｔ基準に遅延させたサンプルパルスである（ｅ）のＨｉｇｈ部分との共通部分をとることで、ＤＯＷ前がスペースでＤＯＷ後がマークの位置を表すサンプルホールドパルス（ｇ）を生成することができることは図６の場合と同じである。
【００４５】
図９はＤＯＷ前にスペースだった部分をＤＯＷによりスペースにした位置をサンプルする場合である。ＤＯＷ前の記録状態を１１Ｔマーク、８Ｔスペース、…とする。
【００４６】
図９の（ａ）は先行サブビームの再生信号（基準時間はｐｒｅ）、（ｂ）は先行サブビームの再生信号の二値化信号（基準時間はｐｒｅ）、（ｃ）は１１Ｔスペースの中心付近のサンプルパルス（基準時間はｍａｉｎ）、（ｄ）は後行サブビームの再生信号（基準時間はｐｏｓｔ）、（ｅ）はｐｏｓｔ基準に遅延されたサンプルパルス、（ｆ）はｐｏｓｔ基準に遅延された先行サブビームの再生信号の二値化信号、(ｇ）はＤＯＷ前はスペース、ＤＯＷ後はスペースのサンプルホールドパルス（基準時間はｐｏｓｔ）を示す。
【００４７】
図６の場合と違う点だけ述べると、図９ではＤＯＷ前にスペースだった部分をサンプルしたいので、例えば、５Ｔスペース、１１Ｔマーク、６Ｔスペース、…という信号をＤＯＷして、サンプルパルスの位置を（ｃ）のように、１１Ｔスペースの中心付近に設定している。ｐｏｓｔ基準に遅延させた先行サブビームの二値化信号（ｆ）のＨｉｇｈ部分と、ｐｏｓｔ基準に遅延させたサンプルパルスである（ｅ）のＨｉｇｈ部分との共通部分をとることで、ＤＯＷ前がスペースでＤＯＷ後がスペースの位置を表すサンプルホールドパルス（ｇ）を生成することができることは図６の場合と同じである。
【００４８】
図１０に不適切なイレースパワーでＤＯＷを行った場合に生じるスペースの再生信号の波形変化の概略図を示す。
【００４９】
適正なイレースパワーでＤＯＷを行った場合、（ａ）に示したように波形変化は生じない。しかし、不適切なイレースパワーでＤＯＷを行った場合は、（ｂ），（ｃ），（ｄ）に示したように波形変化が見られる。
【００５０】
例えば、（ｂ）のようにイレースパワーが適正値より低い場合はＤＯＷによりスペースレベルの変動が起きる。この原因は次のようなことが考えられる。図５に示したように、ＤＯＷ後にスペースとなる条件としてＤＯＷ前にマークだった部分をスペースにする場合と、スペースだった部分をスペースにする場合がある。前者の場合、イレースパワーが低いとマークからスペースへの相変化が安定しない（消し残しが生じる）。一方、後者の場合は相変化不要のため、スペースレベルは維持される。その結果、ＤＯＷによりスペースを形成しようとする領域に、前回記録時のマークとスペースとがランダムに混在していることにより、（ｂ）に示したようなランダムなスペースレベル変動が生じると考えられる。
【００５１】
図１０の（ｂ）とは対称的に、（ｃ），（ｄ）のようにイレースパワーが適性値より高い場合は、スペースのレベルが平均的（ＤＣ的）に上昇している。これはイレースパワー上昇に起因して、スペースからマークへの相変化が始まっていることが原因と考えられる。
【００５２】
本実施形態では、スペースのレベル変動が少なく、かつスペースの平均レベルも適正な値となるような最適イレースパワーを決定するが、イレースパワーはピークパワーに依存するため、イレースパワーとピークパワーの組み合わせの中から最適記録パワーを選択するものとしている。
【００５３】
図１１に、ＤＯＷ前がマーク、あるいはスペースでスペースをＤＯＷする場合のイレースパワーとスペースレベル（スペースの再生信号の光量）の関係を示す。図１１は横軸にＤＯＷ実行時のイレースパワーをとり、縦軸にスペースレベルをとったグラフである。実線で示した曲線はＤＯＷ前がマークの場合であり、点線で示した曲線はＤＯＷ前がスペースの場合である。
【００５４】
ＤＯＷ前がマークの場合、低いイレースパワーでは図１０で述べたように相変化が安定しない（消し残しが生じる）ため、スペースレベルは高い。そして、イレースパワーの上昇とともにスペースレベルは減少するが、イレースパワーを上昇させすぎると、スペースからマークへの相変化が始まり、スペースレベルは上昇する。
【００５５】
一方、ＤＯＷ前がスペースの場合、低いイレースパワーであっても相変化が不要のためスペースレベルは低レベルを維持する。しかし、ＤＯＷ前がマークの場合と同様、イレースパワーを上昇させすぎると、スペースからマークへの相変化が始まり、スペースレベルは上昇する。
【００５６】
したがって、図６の方法（ＤＯＷ前がマークでＤＯＷ後がスペース）で計測した後行サブビーム光量から図９の方法（ＤＯＷ前がスペースでＤＯＷ後がスペース）で計測した後行サブビーム光量を減算した値を調べることで、図１０の（ｂ）、（ｃ）、（ｄ）の状態を検出することが可能となる。
【００５７】
減算値が大きい場合は、図１０（ｂ）の状態である、すなわちイレースパワーが適正値より低いことが判る。また、減算値が０に近く、なおかつそれぞれの方法で計測した値の絶対値が大きい場合は図１０（ｃ）、（ｄ）の状態である、すなわちイレースパワーが適正値より高いことが判る。
【００５８】
よって、最適記録パラメータの決定方法としては、図６の方法でサンプルホールドして計測した後行サブビーム光量から図９の方法でサンプルホールドして計測した後行サブビーム光量を減算した値が０に近づき、しかもそれぞれの方法で計測した値の絶対値が小さくなるようにイレースパワーを記録中にリアルタイムに変更すればよい。
【００５９】
図１２はイレースパワーの最適化処理を示すフローチャートである。ブロック＃１２でテスト記録領域に所定の記録パターンをダイレクトオーバーライトする。記録パターンは最も長い符号長であるスペース、すなわち１１Ｔスペースを含む符号系列である。ブロック＃１４で先行サブビームの再生信号の二値化信号（先行サブビーム再生波形スライス回路４６の出力）に基づいてＤＯＷ前がマークかスペースかを判別する。
【００６０】
ＤＯＷ前がマークである場合は、ブロック＃１６でサンプルパルス生成回路４２は１１ＴスペースのＤＯＷのタイミングでサンプルパルスを生成する。ブロック＃１８で遅延回路４４はサンプルパルスをｄｐｏｓｔ時間遅延する。ブロック＃２０でサンプルパルスマスク回路５０は遅延サンプルパルスで先行サブビームの二値化パルスをマスクし、図６（ｇ）に示すサンプルホールドパルスを生成する。ブロック＃２２でサンプルホールド回路２６がこのサンプルホールドパルスに基づいて後行サブビームの再生信号の光量を検出することにより、ＤＯＷ前がマーク、ＤＯＷ後がスペース部分の光量を測定することが出来る。
【００６１】
一方、ＤＯＷ前がスペースである場合は、ブロック＃２６でサンプルパルス生成回路４２は１１ＴスペースのＤＯＷのタイミングでサンプルパルスを生成する。ブロック＃２８で遅延回路４４はサンプルパルスをｄｐｏｓｔ時間遅延する。ブロック＃３０でサンプルパルスマスク回路５０は遅延サンプルパルスで先行サブビームの二値化パルスをマスクし、図９（ｇ）に示すサンプルホールドパルスを生成する。ブロック＃３２でサンプルホールド回路２６がこのサンプルホールドパルスに基づいて後行サブビームの再生信号の光量を検出することにより、ＤＯＷ前がスペース、ＤＯＷ後がスペース部分の光量を測定することが出来る。
【００６２】
ブロック＃３４でこれらの２つの光量の差分を算出する。ブロック＃３６でこれらの２つの光量の絶対値と差分が０に近い所定値以下になるように図１１に基づいてイレースパワーを最適化する。ブロック＃３８で最適化が終了した（これらの値が実際に所定値以下になった）か否かを判定し、否の場合はブロック＃１４の処理を繰り返す。
【００６３】
以上説明したように本実施形態によれば、メインビームで記録を行いながら、記録した信号を後行サブビームで再生し、記録前の状態を先行サブビームで再生し、記録信号に応じたサンプルパルスと先行サブビームの二値化信号をメインビーム、先行サブビーム、後行サブビームの位置関係に応じて遅延することにより、後行サブビームの再生信号の任意の部分を抽出することができる。これにより、ＤＯＷに適したイレースパワーを記録中にリアルタイムに調整することが可能である。従来の一般的な最適化方法では、記録した信号をリードバックして学習するので、最適化に要する時間がかかっていた。しかし、本実施形態では記録中にリアルタイムに調整可能であるので、最適記録パワー制御に要する時間の大幅な短縮が達成できる。このため、既知／未知メディアへの記録性能が大幅に向上し、メディア・記録装置毎のバラツキが吸収できることが予想され、歩留まり向上、開発時間短縮にもつながる。
【００６４】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。上述の説明はイレースパワーの最適化を説明したが、ピークパワー、ボトムパワー、マルチパルスのパルス数等の最適化も同様に達成できる。
【００６５】
また、本発明は、コンピュータに所定の手段を実行させるための（あるいはコンピュータを所定の手段として機能させるための、あるいはコンピュータに所定の機能を実現させるための）プログラムを記録したコンピュータ読取り可能な記録媒体としても実施することもできる。
【図面の簡単な説明】
【００６６】
【図１】本発明の光ディスク装置の一実施形態を示す図。
【図２】マルチパルスの記録波形を示す図。
【図３】先行サブビーム、メインビーム、後行サブビームの関係を示す図。
【図４】記録中に後行サブビームの再生信号から任意位置をサンプルする動作を示す図。
【図５】ダイレクトオーバーライト（ＤＯＷ）により生じるマーク・スペースの状態の組み合わせを示す図。
【図６】ＤＯＷ前はマーク、ＤＯＷ後はスペースの位置をサンプルする動作を示す図。
【図７】ＤＯＷ前はマーク、ＤＯＷ後もマークの位置をサンプルする動作を示す図。
【図８】ＤＯＷ前はスペース、ＤＯＷ後はマークの位置をサンプルする動作を示す図。
【図９】ＤＯＷ前はスペース、ＤＯＷ後もスペースの位置をサンプルする動作を示す図。
【図１０】不適切なイレースパワーでＤＯＷを行った場合に生じるスペースの波形変化の概略を示す図。
【図１１】ＤＯＷ前はマーク／ＤＯＷ後はスペース、ＤＯＷ前はスペース／ＤＯＷ後はスペースの条件のイレースパワーとスペースレベルの関係を示す図。
【図１２】記録パラメータの最適化の処理を示すフローチャート。
【符号の説明】
【００６７】
１０…光ディスク、１２…ＰＵＨ、１６…先行サブビーム光電変換素子、１８…メインビーム光電変換素子、２０…後行サブビーム光電変換素子、４０…ライトストラテジ生成回路、４２…サンプルパルス生成回路、４６…先行サブビーム再生波形スライス回路、５０…サンプルパルスマスク回路。
【図１】
2009158063.tif 000003
【図２】
2009158063.tif 000004
【図３】
2009158063.tif 000005
【図４】
2009158063.tif 000006
【図５】
2009158063.tif 000007
【図６】
2009158063.tif 000008
【図７】
2009158063.tif 000009
【図８】
2009158063.tif 000010
【図９】
2009158063.tif 000011
【図１０】
2009158063.tif 000012
【図１１】
2009158063.tif 000013
【図１２】
2009158063.tif 000014